(57)【要約】    【課題】      中波放送の電波の影響によりシンボル同期を確立することができないことによる異常終了の発生を防止すること。    【解決手段】  データ通信前に交換される特定信号（ＲＥＶＥＲＢ信号）から算出されるＹ（ω）に基づいて通信回線のインパルス応答（Ｉｍｐｌｕｓｅ（ｔ））を算出し、当該インパルス応答（Ｉｍｐｌｕｓｅ（ｔ））のピーク位置を検出するプロセッサ２０と、通信回線のインパルス応答（Ｉｍｐｌｕｓｅ（ｔ））のピーク位置から所定数のサンプリングデータに対して高速フーリエ変換処理を行うＦＦＴ部２７と、を備えるＡＤＳＬモデム装置において、プロセッサ２０で特定信号（ＲＥＶＥＲＢ信号）のうち中波放送で使用されない周波数帯域におけるゲインを用いて通信回線のインパルス応答（Ｉｍｐｌｕｓｅ（ｔ））を算出する。  【選択図】      図３
2006014006.tif 000002
【特許請求の範囲】
【請求項１】
データ通信前に交換される特定信号に基づいて通信回線のインパルス応答を算出し当該インパルス応答のピーク位置を検出する制御手段と、前記通信回線のインパルス応答のピーク位置から所定数のサンプリングデータに対して高速フーリエ変換処理を行う演算手段と、を具備するＡＤＳＬモデム装置であって、前記制御手段は、前記特定信号のうち中波放送で使用されない周波数帯域におけるゲインを用いて前記通信回線のインパルス応答を算出することを特徴とするＡＤＳＬモデム装置。
【請求項２】
前記制御手段は、前記特定信号のうち中波放送で使用される周波数帯域におけるゲインを削除する一方、中波放送で使用されない周波数帯域におけるゲインを維持して前記通信回線のインパルス応答を算出することを特徴とする請求項１記載のＡＤＳＬモデム装置。
【請求項３】
前記制御手段は、前記特定信号のうち５００ｋＨｚより大きい周波数帯域におけるゲインを削除する一方、５００ｋＨｚ以下の周波数帯域におけるゲインを維持して前記通信回線のインパルス応答を算出することを特徴とする請求項２記載のＡＤＳＬモデム装置。
【請求項４】
前記制御手段は、前記特定信号が有する全周波数帯域におけるゲインを用いて前記通信回線のインパルス応答を算出した後、中波放送で使用される周波数帯域におけるゲインがそれ以外の周波数帯域におけるゲインと比べて突出する場合に前記特定信号のうち中波放送で使用されない周波数帯域におけるゲインを用いて前記通信回線のインパルス応答を算出することを特徴とする請求項１記載のＡＤＳＬモデム装置。
【請求項５】
前記制御手段は、前記特定信号が有する全周波数帯域を用いて前記通信回線のインパルス応答を算出した後、相手側装置との間でシンボル同期を確立できない場合に前記特定信号のうち中波放送で使用されない周波数帯域におけるゲインを用いて前記通信回線のインパルス応答を算出することを特徴とする請求項１記載のＡＤＳＬモデム装置。
【請求項６】
前記特定信号は、ＲＥＶＥＲＢ信号であることを特徴とする請求項１記載のＡＤＳＬモデム装置。
【請求項７】
データ通信前に交換される特定信号に基づいて通信回線のインパルス応答を算出し、当該インパルス応答のピーク位置を検出し、前記通信回線のインパルス応答のピーク位置から所定数のサンプリングデータに対して高速フーリエ変換処理を行うことでシンボル同期を確立する同期確立方法であって、前記特定信号のうち中波放送で使用されない周波数帯域におけるゲインを用いて前記通信回線のインパルス応答を算出することを特徴とする同期確立方法。
【請求項８】
前記特定信号のうち中波放送で使用される周波数帯域におけるゲインを削除する一方、中波放送で使用されない周波数帯域におけるゲインを維持して前記通信回線のインパルス応答を算出することを特徴とする請求項７記載の同期確立方法。
【請求項９】
前記特定信号のうち５００ｋＨｚより大きい周波数帯域におけるゲインを削除する一方、５００ｋＨｚ以下の周波数帯域におけるゲインを維持して前記通信回線のインパルス応答を算出することを特徴とする請求項８記載の同期確立方法。
【請求項１０】
前記特定信号が有する全周波数帯域におけるゲインを用いて前記通信回線のインパルス応答を算出した後、中波放送で使用される周波数帯域におけるゲインがそれ以外の周波数帯域におけるゲインと比べて突出する場合に前記特定信号のうち中波放送で使用されない周波数帯域におけるゲインを用いて前記通信回線のインパルス応答を算出することを特徴とする請求項７記載の同期確立方法。
【請求項１１】
前記特定信号が有する全周波数帯域を用いて前記通信回線のインパルス応答を算出した後、相手側装置との間でシンボル同期を確立できない場合に前記特定信号のうち中波放送で使用されない周波数帯域におけるゲインを用いて前記通信回線のインパルス応答を算出することを特徴とする請求項７記載の同期確立方法。
【請求項１２】
前記特定信号は、ＲＥＶＥＲＢ信号であることを特徴とする請求項７記載の同期確立方法。
【発明の詳細な説明】
【技術分野】
【０００１】
本発明は、中波電波の影響を受けずにシンボル同期を確立するＡＤＳＬモデム装置及び同期確立方法に関する。
【背景技術】
【０００２】
近年、既存の電話回線を用いて高速のインターネット接続サービスと従来からの電話サービスとを同時に利用できるようにしたＡＤＳＬサービスが急速に普及している。かかるＡＤＳＬサービスでは、実際のデータ通信を開始する前に、Ｇ.ｌｉｔｅ又はＧ.ｄｍｔ勧告にしたがったイニシャライズシーケンスにおいてシンボル同期を確立する必要がある。このシンボル同期の確立は、家庭内などに設置された端末装置（ＡＴＵ−Ｒ）により行われ、通常、交換局側装置（ＡＴＵ−Ｃ）から受信したＲＥＶＥＲＢ信号を用いて行われる。これは、ＲＥＶＥＲＢ信号が＃３２番から＃１２７番、又は＃３２番から＃２５５番までのキャリアを含み、ＡＴＵ−Ｃからどのような信号が送られてきているか勧告に明確に記載されているので、シンボル同期の確立に利用するのに便利だからである。
【０００３】
なお、上記Ｇ.ｌｉｔｅ又はＧ.ｄｍｔ勧告においては、イニシャライズの確立方法に関して各国（又は地域）の通信環境に応じてＡＮＮＥＸ．Ａ、ＡＮＮＥＸ．Ｂ、ＡＮＮＥＸＣ等が勧告されている。このうち、主として日本での使用を意図したＡＮＮＥＸ．Ｃ仕様の場合には、ＩＳＤＮノイズによる影響を低減するためにハイパーフレームと呼ばれる同期を確立するが、そのハイパーフレームの区切りを見失うことによる異常終了の発生を防止する同期調整方法が提案されている（例えば、特許文献１参照）。
【特許文献１】特開２００４−００７２７０号公報
【発明の開示】
【発明が解決しようとする課題】
【０００４】
しかしながら、従来のＡＤＳＬサービスにおいては、端末装置が設置される地域によっては、いわゆるＡＭ放送に代表される中波放送の電波が既存の電話回線における障害となる場合がある。かかる地域においては、ＡＴＵ-ＲとＡＴＵ-Ｃとの間でシンボル同期を確立することができず、正常な通信ができないまま異常終了してしまう問題がある。
【０００５】
本発明は、以上のような実情に鑑みてなされたもので、中波放送の電波の影響によりシンボル同期を確立することができないことによる異常終了の発生を防止することができるＡＤＳＬモデム装置及び同期確立方法を提供することを目的とする。
【課題を解決するための手段】
【０００６】
本発明は、データ通信前に交換される特定信号に基づいて通信回線のインパルス応答を算出し当該インパルス応答のピーク位置を検出する制御手段と、通信回線のインパルス応答のピーク位置から所定数のサンプリングデータに対して高速フーリエ変換処理を行う演算手段と、を備えるＡＤＳＬモデム装置において、制御手段で特定信号のうち中波放送で使用されない周波数帯域におけるゲインを用いて前記通信回線のインパルス応答を算出するようにしたものである。
【発明の効果】
【０００７】
本発明によれば、中波放送の電波の影響によりシンボル同期を確立することができないことによる異常終了の発生を防止することができる。
【発明を実施するための最良の形態】
【０００８】
本発明の第１の態様に係るＡＤＳＬモデム装置は、データ通信前に交換される特定信号に基づいて通信回線のインパルス応答を算出し当該インパルス応答のピーク位置を検出する制御手段と、前記通信回線のインパルス応答のピーク位置から所定数のサンプリングデータに対して高速フーリエ変換処理を行う演算手段と、を具備するＡＤＳＬモデム装置であって、前記制御手段は、前記特定信号のうち中波放送で使用されない周波数帯域におけるゲインを用いて前記通信回線のインパルス応答を算出する構成を採る。
【０００９】
この構成によれば、制御手段が特定信号のうち中波放送で使用されない周波数帯域におけるゲインを用いて通信回線のインパルス応答を算出し、そのインパルス応答のピーク位置を検出する。そして、演算手段がそのインパルス応答のピーク位置から所定数のサンプリングデータに対して高速フーリエ変換処理を行うことでシンボル同期が確立される。このため、中波放送の電波の影響によりシンボル同期を確立することができない事態を回避することできる。この結果、中波放送の電波の影響によりシンボル同期を確立することができないことによる異常終了の発生を防止することができる。
【００１０】
本発明の第２の態様は、第１の態様に係るＡＤＳＬモデム装置において、前記制御手段は、前記特定信号のうち中波放送で使用される周波数帯域におけるゲインを削除する一方、中波放送で使用されない周波数帯域におけるゲインを維持して前記通信回線のインパルス応答を算出する構成を採る。
【００１１】
この構成によれば、特定信号のうち中波放送で使用される周波数帯域におけるゲインが削除される一方、中波放送で使用されない周波数帯域におけるゲインが維持される。このため、中波放送で使用されない周波数帯域におけるゲインを用いて確実に通信回線のインパルス応答を算出することができる。
【００１２】
本発明の第３の態様は、第２の態様に係るＡＤＳＬモデム装置において、前記制御手段は、前記特定信号のうち５００ｋＨｚより大きい周波数帯域におけるゲインを削除する一方、５００ｋＨｚ以下の周波数帯域におけるゲインを維持して前記通信回線のインパルス応答を算出する構成を採る。
【００１３】
この構成によれば、特定信号のうち５００ｋＨｚより大きい周波数帯域におけるゲインが削除される一方、５００ｋＨｚ以下の周波数帯域におけるゲインが維持される。このため、一般的に中波放送で使用される５２６．５ｋＨｚ〜１６０６．５ｋＨｚの周波数帯域を避けて確実に通信回線のインパルス応答を算出することができる。
【００１４】
本発明の第４の態様は、第１の態様に係るＡＤＳＬモデム装置において、前記制御手段は、前記特定信号が有する全周波数帯域におけるゲインを用いて前記通信回線のインパルス応答を算出した後、中波放送で使用される周波数帯域におけるゲインがそれ以外の周波数帯域におけるゲインと比べて突出する場合に前記特定信号のうち中波放送で使用されない周波数帯域におけるゲインを用いて前記通信回線のインパルス応答を算出する構成を採る。
【００１５】
この構成によれば、特定信号を用いて通常の手順でシンボル同期の確立を試みたにも関わらず、中波放送で使用される周波数帯域におけるゲインがそれ以外の周波数帯域におけるゲインと比べて突出する場合、中波放送で使用されない周波数帯域におけるゲインを用いて通信回線のインパルス応答を算出し、そのインパルス応答のピーク位置を検出する。そして、演算手段がそのインパルス応答のピーク位置から所定数のサンプリングデータに対して高速フーリエ変換処理を行うことでシンボル同期が確立される。このため、中波放送の電波の影響を受けない場合には通常の手順に従ってシンボル同期を確立することができる一方、中波放送の電波の影響によりシンボル同期を確立することができない事態を回避することできる。
【００１６】
本発明の第５の態様は、第１の態様に係るＡＤＳＬモデム装置において、前記制御手段は、前記特定信号が有する全周波数帯域を用いて前記通信回線のインパルス応答を算出した後、相手側装置との間でシンボル同期を確立できない場合に前記特定信号のうち中波放送で使用されない周波数帯域におけるゲインを用いて前記通信回線のインパルス応答を算出する構成を採る。
【００１７】
この構成によれば、特定信号を用いて通常の手順でシンボル同期の確立を試みたにも関わらず、シンボル同期の確立ができない場合、中波放送で使用されない周波数帯域におけるゲインを用いて通信回線のインパルス応答を算出し、そのインパルス応答のピーク位置を検出する。そして、演算手段がそのインパルス応答のピーク位置から所定数のサンプリングデータに対して高速フーリエ変換処理を行うことでシンボル同期が確立される。このため、中波放送の電波の影響を受けない場合には通常の手順に従ってシンボル同期を確立することができる一方、中波放送の電波の影響によりシンボル同期を確立することができない事態を回避することできる。
【００１８】
本発明の第６の態様は、第１の態様に係るＡＤＳＬモデム装置において、前記特定信号は、ＲＥＶＥＲＢ信号である構成を採る。
【００１９】
この構成によれば、イニシャライズ手順で用いられるＲＥＶＥＲＢ信号を用いて中波放送の電波の影響によりシンボル同期を確立することができないことによる異常終了の発生を防止することができる。
【００２０】
本発明の第７の態様に係る同期確立方法は、データ通信前に交換される特定信号に基づいて通信回線のインパルス応答を算出し、当該インパルス応答のピーク位置を検出し、前記通信回線のインパルス応答のピーク位置から所定数のサンプリングデータに対して高速フーリエ変換処理を行うことでシンボル同期を確立する同期確立方法であって、前記特定信号のうち中波放送で使用されない周波数帯域におけるゲインを用いて前記通信回線のインパルス応答を算出するものである。
【００２１】
本発明の第８の態様は、第７の態様に係る同期確立方法において、前記特定信号のうち中波放送で使用される周波数帯域におけるゲインを削除する一方、中波放送で使用されない周波数帯域におけるゲインを維持して前記通信回線のインパルス応答を算出するものである。
【００２２】
本発明の第９の態様は、第８の態様に係る同期確立方法において、前記特定信号のうち５００ｋＨｚより大きい周波数帯域におけるゲインを削除する一方、５００ｋＨｚ以下の周波数帯域におけるゲインを維持して前記通信回線のインパルス応答を算出するものである。
【００２３】
本発明の第１０の態様は、第７の態様に係る同期確立方法において、前記特定信号が有する全周波数帯域におけるゲインを用いて前記通信回線のインパルス応答を算出した後、中波放送で使用される周波数帯域におけるゲインがそれ以外の周波数帯域におけるゲインと比べて突出する場合に前記特定信号のうち中波放送で使用されない周波数帯域におけるゲインを用いて前記通信回線のインパルス応答を算出するものである。
【００２４】
本発明の第１１の態様は、第７の態様に係る同期確立方法において、前記特定信号が有する全周波数帯域を用いて前記通信回線のインパルス応答を算出した後、相手側装置との間でシンボル同期を確立できない場合に前記特定信号のうち中波放送で使用されない周波数帯域におけるゲインを用いて前記通信回線のインパルス応答を算出するものである。
【００２５】
本発明の第１２の態様は、第７の態様に係る同期確立方法において、前記特定信号は、ＲＥＶＥＲＢ信号で構成されるものである。
【００２６】
以下、図面を参照して本発明の実施の形態について具体的に説明する。
【００２７】
図１は、本発明が適用される家庭内などに設置された端末装置（以下、「ＡＴＵ−Ｒ」という）側の通信システムの概略構成を示す図である。
【００２８】
同図に示す通信システムは、公衆回線網又はこれと同等の回線網（以下、「回線」という）がスプリッタ１を介してＡＤＳＬモデム装置２に接続され、さらにＡＤＳＬモデム装置２にユーザ端末３が接続されている。なお、ユーザ端末３と電話機４とを１回線で利用する場合にはスプリッタ１が必要となるが、電話機４を使用しない形態であればスプリッタ１は必要ない。また、ユーザ端末３がＡＤＳＬモデム装置２を内蔵するように構成することも可能である。
【００２９】
ＡＤＳＬモデム装置２は、ＡＤＳＬ通信を実行するトランシーバ１１と、このトランシーバ１１を含む全体の動作を制御するホスト１２とを備えている。トランシーバ１１の回線側端部はアナログフロントエンド（以下、「ＡＦＥ」という）を介してアナログ回路で構成されている。ＡＦＥ１３のＤＡ変換部に対してアナログフィルタ１４を介してドライバ１５が接続され、ドライバ１５で増幅されたアナログ信号がハイブリッド１６を介して回線へ送出されるように構成されている。また、回線から到来したアナログ信号はハイブリッド１６を介してレシーバ１７で受信されアナログフィルタ１８を介してＡＦＥ１３のＡＤ変換部に入力されるように構成されている。ＡＦＥ１３は、ＡＤ変換部から出力されるサンプリングデータをトランシーバ１１へ出力する。
【００３０】
図２は、ＡＤＳＬモデム装置２が有するトランシーバ１１の機能ブロック図である。プロセッサ２０は、ハンドシェイク手順、イニシャライズ手順を実行し、データ通信（ショータイム）中の通信制御を実行する機能を備える部分である。
【００３１】
トランシーバ１１の送信側は、エラーチェックのための冗長ビットを付加するリードソロモン符号化部２１、リードソロモン復号時のバーストエラーに対する訂正を可能とするためデータの並べ替えを行うインターリーブ部２２、トレリス符号化によるデータの畳み込みを行うトレリス符号化部２３、各キャリアに対するビット数の割付けを行うトーンオーダリング部２４、送信データの位相をコンステレーション座標上に割り付けるコンステレーション符号化部２５、コンステレーション符号化されたデータを逆高速フーリエ変換（以下、「ＩＦＦＴ」という）するＩＦＦＴ部２６から構成されている。
【００３２】
トランシーバ１１の受信側は、受信信号のサンプリングデータを高速フーリエ変換（以下、ＦＦＴという）するＦＦＴ部２７、ＦＦＴ出力信号のコンステレーションからデータを復号し、かつコンステレーション座標上での位相を補正するコンステレーション復号化／ＦＥＱ部２８、送信側でトーンオーダリングされた各キャリアに割り付けられているデータを元に戻すトーンデオーダリング部２９、受信データをビタビ復号するビタビ復号化部３０、送信側で並べかえられたデータを元に戻すデインターリーブ部３１、送信側で付加された冗長ビットを削除するリードソロモン復号化部３２から構成されている。ＲＡＭ３３は、プロセッサ２０のワークエリアであり、ハンドシェイク手順、イニシャライズ手順の実行時に使用される。トランシーバ１１は、ホストインターフェース（Ｉ／Ｆ）３４を介してホスト１２と接続される。
【００３３】
ここで、プロセッサ２０によるイニシャライズ手順の実行時におけるシンボル同期の方法について図３を用いて説明する。図３は、プロセッサ２０によるイニシャライズ手順の実行時におけるシンボル同期の方法について説明するための機能ブロック図である。
【００３４】
プロセッサ２０によるイニシャライズ手順の実行時におけるシンボル同期は、ＦＦＴ部２７で受信したＲＥＶＥＲＢ信号を用いて行われる。その際、プロセッサ２０は、既知のＲＥＶＥＲＢ信号を逆高速フーリエ変換した信号であるＸ（ω）と、実際に回線を介して受信したＲＥＶＥＲＢ信号を高速フーリエ変換した信号であるＹ（ω）とを用いてシンボル同期の確立を行う。
【００３５】
より具体的には、プロセッサ２０は、ＲＡＭ３３に格納されたＲＥＶＥＲＢ信号を取り出して逆高速フーリエ変換処理を施すことで得られるＸ（ω）を取得すると共に、ＦＦＴ部２７からＹ（ω）を受け取る。なお、ＲＥＶＥＲＢ信号は勧告に記載された既知の信号であるため、本実施の形態に係るＡＤＳＬモデム装置２においては、ＲＥＶＥＲＢ信号から算出されるＸ（ω）を、事前にＲＡＭ３３に格納している。そして、プロセッサ２０は、
Ｚ（ω）＝Ｙ（ω）／Ｘ（ω）
を計算し、インパルス応答をＩｍｐｌｕｓｅ（ｔ）として、
Ｉｍｐｌｕｓｅ（ｔ）＝ｉｎｖｅｒｓＦＦＴ（Ｚ（ω））
を計算する。このようにして、いわゆる回線上のインパルス応答（Ｉｍｐｌｕｓｅ（ｔ））を算出する。
【００３６】
図４は、プロセッサ２０で算出されたインパルス応答（Ｉｍｐｌｕｓｅ（ｔ））の波形図である。プロセッサ２０は、同図に示すインパルス応答（Ｉｍｐｌｕｓｅ（ｔ））のピーク位置を検出する。そして、ＦＦＴ部２７が有するバッファ４０にそのインパルス応答（Ｉｍｐｌｕｓｅ（ｔ））のピーク位置を通知する信号（以下、「ピーク通知信号」という）を送出する。
【００３７】
バッファ４０は、通常、ＡＦＥ１３より入力されたサンプリングデータを５１２個分格納する。５１２個分のサンプリングデータが格納されると、ＦＦＴ部２７により高速フーリエ変換処理が行われる。しかし、ピーク通知信号を受け取ると、バッファ４０は、当該これに含まれるインパルス応答（Ｉｍｐｌｕｓｅ（ｔ））のピーク位置から５１２個分のサンプリングデータを格納し直す。そして、インパルス応答（Ｉｍｐｌｕｓｅ（ｔ））のピーク位置を基準とした、５１２個分のサンプリングデータに対してＦＦＴ部２７により高速フーリエ変換処理が施されることで、シンボル同期が確立されることとなる。
【００３８】
通常、上記した方法によりシンボル同期が確立されるが、この方法によりシンボル同期を確立されない場合には、中波放送の電波が障害となっている可能性がある。このため、プロセッサ２０は、ＦＦＴ部２７から受け取ったＹ（ω）のうち、中波放送の電波の影響を受けない周波数帯域に対応する部分を用いてシンボル同期の確立を試みる。
【００３９】
具体的には、プロセッサ２０は、ＦＦＴ部２７から受け取ったＹ（ω）のうち、中波放送の電波の影響を受け得る周波数帯域のゲインに強制的に「０」を挿入したＹ０（ω）を用いて、
Ｚ０（ω）＝Ｙ０（ω）／Ｘ（ω）
を計算する。そして、インパルス応答をＩｍｐｌｕｓｅ（ｔ）として、
Ｉｍｐｌｕｓｅ（ｔ）＝ｉｎｖｅｒｓＦＦＴ（Ｚ０（ω））
を計算する。このようにして、いわゆる回線上のインパルス応答（Ｉｍｐｌｕｓｅ（ｔ））を算出する。
【００４０】
インパルス応答（Ｉｍｐｌｕｓｅ（ｔ））を算出した後は、上述したのと同様の要領で、インパルス応答（Ｉｍｐｌｕｓｅ（ｔ））のピーク位置を検出して、シンボル同期の確立を行う。
【００４１】
一般に、中波放送には５２６．５ｋＨｚ〜１６０６．５ｋＨｚの周波数帯域が利用されている。このため、例えば、プロセッサ２０は、５００ｋＨｚより大きい周波数帯域においてはＦＦＴ部２７から受け取ったＹ（ω）のゲインに強制的に「０」を挿入する一方、５００ｋＨｚ以下の周波数帯域においてはＦＦＴ部２７から受け取ったＹ（ω）のゲインをそのまま維持することでＹ０（ω）を得ることができる。そして、このＹ０（ω）を用いてインパルス応答（Ｉｍｐｌｕｓｅ（ｔ））を算出する。
【００４２】
このように５００ｋＨｚより大きい周波数帯域におけるゲインが削除される一方、５００ｋＨｚ以下の周波数帯域におけるゲインが維持される。このため、一般的に中波放送で使用される５２６．５ｋＨｚ〜１６０６．５ｋＨｚの周波数帯域を避けて確実に回線のインパルス応答（Ｉｍｐｌｕｓｅ（ｔ））を算出することができる。
【００４３】
なお、本実施の形態においては、Ｙ（ω）のゲインに強制的に「０」を挿入する境界の周波数として５００ｋＨｚを例にしているが、これに限定されるものではない。すなわち、中波放送の電波の影響を受け得る周波数帯域のゲインに「０」を挿入できる周波数であれば、いかなる周波数を選択してもよい。
【００４４】
以下、本実施の形態に係るＡＤＳＬモデム装置２においてシンボル同期を確立する際の動作について図５を用いて説明する。
【００４５】
シンボル同期を確立する場合、プロセッサ２０は、まず、ＲＡＭ３３より既知のＲＥＶＥＲＢ信号を取り出して逆高速フーリエ変換処理を施すことで得られるＸ（ω）を取得する（ＳＴ５０１）。その後、受信したＲＥＶＥＲＢ信号に対して高速フーリエ変換処理を施すことで得られるＹ（ω）をＦＦＴ部２７から取得する（ＳＴ５０２）。
【００４６】
次に、Ｘ（ω）とＹ（ω）とを用いて回線のインパルス応答（Ｉｍｐｌｕｓｅ（ｔ））を算出する（ＳＴ５０３）。具体的には、
Ｚ（ω）＝Ｙ（ω）／Ｘ（ω）
を計算した後、
Ｉｍｐｌｕｓｅ（ｔ）＝ｉｎｖｅｒｓＦＦＴ（Ｚ（ω））
を計算することでインパルス応答（Ｉｍｐｌｕｓｅ（ｔ））を算出する。
【００４７】
インパルス応答（Ｉｍｐｌｕｓｅ（ｔ））を算出した後、プロセッサ２０は、中波放送で用いられる周波数帯域（以下、「中波周波数帯域」という）における受信信号のゲインがそれ以外の周波数帯域の受信信号のゲインに比べて突出しているか判断する（ＳＴ５０４）。すなわち、受信信号のゲインに中波放送の電波によるノイズ（以下、「中波ノイズ」という）が現れているかを判断する。
【００４８】
中波周波数帯域における受信信号のゲインが突出していない場合には、プロセッサ２０は、インパルス応答（Ｉｍｐｌｕｓｅ（ｔ））のピーク位置を検出して、シンボル同期を確立することができたか判断する（ＳＴ５０５）。
【００４９】
シンボル同期を確立することができた場合には、データ通信（ショータイム）に移行する（ＳＴ５０６）。その後、ＰＣ３により指示されたデータ通信を終了したならば、プロセッサ２０は、処理を終了する。
【００５０】
一方、ＳＴ５０４において中波周波数帯域における受信信号のゲインが突出していると判断された場合、あるいは、ＳＴ５０５においてシンボル同期を確立することができないと判断された場合には、プロセッサ２０は、ＦＦＴ部２７から取得したＹ（ω）に基づいてＹ０（ω）を算出する（ＳＴ５０７）。
【００５１】
具体的には、５００ｋＨｚより大きい周波数帯域においてはＦＦＴ部２７から受け取ったＹ（ω）のゲインに強制的に「０」を挿入する一方、５００ｋＨｚ以下の周波数帯域においてはＦＦＴ部２７から受け取ったＹ（ω）をそのまま維持することでＹ０（ω）を得る。
【００５２】
Ｙ０（ω）を算出したならば、プロセッサ２０は、処理をＳＴ５０３に戻し、再び回線のインパルス応答（Ｉｍｐｌｕｓｅ（ｔ））を算出する。但し、ＳＴ５０７の処理を経て回線のインパルス応答（Ｉｍｐｌｕｓｅ（ｔ））を算出する場合、プロセッサ２０は、
Ｚ０（ω）＝Ｙ０（ω）／Ｘ（ω）
を計算した後、
Ｉｍｐｌｕｓｅ（ｔ）＝ｉｎｖｅｒｓＦＦＴ（Ｚ０（ω））
を計算することでインパルス応答（Ｉｍｐｌｕｓｅ（ｔ））を算出する。
【００５３】
そして、上述したのと同様の要領で、中波周波数帯域における受信信号のゲインが突出しているか、シンボル同期を確立することができたかの判断を通じてデータ通信への移行を判断する（ＳＴ５０４〜ＳＴ５０６）。
【００５４】
なお、Ｙ０（ω）を用いて回線のインパルス応答（Ｉｍｐｌｕｓｅ（ｔ））を算出した後にシンボル同期を確立した場合には、その後のデータ通信においても、かかる中波放送の電波の影響を受けると考えられる。しかし、この場合においても、シンボル同期が確立した場合には、交換局装置（ＡＴＵ−Ｃ）側のＡＤＳＬモデム装置（２）のトーンオーダリング部（２４）により当該中波放送の電波の影響を受けるキャリアに対して割り付けられるビット数が調整される。このため、中波放送の電波の影響を受けてデータ通信を行うことができないという事態は生じない。
【００５５】
このように本実施の形態に係るＡＤＳＬモデム装置２によれば、プロセッサ２０が受信したＲＥＶＥＲＢ信号から算出されるＹ（ω）のうち中波放送で使用されない周波数帯域におけるゲインを用いて回線のインパルス応答（Ｉｍｐｌｕｓｅ（ｔ））を算出し、そのインパルス応答（Ｉｍｐｌｕｓｅ（ｔ））のピーク位置を検出する。そして、ＦＦＴ部２７がそのインパルス応答（Ｉｍｐｌｕｓｅ（ｔ））のピーク位置から５１２個分のサンプリングデータに対して高速フーリエ変換処理を行うことでシンボル同期が確立される。このため、中波放送の電波の影響によりシンボル同期を確立することができない事態を回避することできる。この結果、中波放送の電波の影響によりシンボル同期を確立することができないことによる異常終了の発生を防止することができる。
【００５６】
特に、本実施の形態に係るＡＤＳＬモデム装置２によれば、プロセッサ２０が受信したＲＥＶＥＲＢ信号から算出されるＹ（ω）のうち中波放送で使用される周波数帯域におけるゲインが削除される一方、中波放送で使用されない周波数帯域におけるゲインが維持される。このため、中波放送で使用されない周波数帯域におけるゲインを用いて確実に通信回線のインパルス応答（Ｉｍｐｌｕｓｅ（ｔ））を算出することができる。
【００５７】
また、本実施の形態に係るＡＤＳＬモデム装置２によれば、プロセッサ２０が受信したＲＥＶＥＲＢ信号から算出されるＹ（ω）を用いて通常の手順でシンボル同期の確立を試みたにも関わらず、中波放送で使用される周波数帯域におけるゲインがそれ以外の周波数帯域におけるゲインと比べて突出する場合やシンボル同期の確立ができない場合、中波放送で使用されない周波数帯域におけるゲインを用いて回線のインパルス応答（Ｉｍｐｌｕｓｅ（ｔ））を算出し、そのインパルス応答のピーク位置を検出する。そして、演算手段がそのインパルス応答のピーク位置から所定数のサンプリングデータに対して高速フーリエ変換処理を行うことでシンボル同期が確立される。このため、中波放送の電波の影響を受けない場合には通常の手順に従ってシンボル同期を確立することができる一方、中波放送の電波の影響によりシンボル同期を確立することができない事態を回避することできる。
【００５８】
なお、以上の説明においては、インパルス応答（Ｉｍｐｌｕｓｅ（ｔ））を算出する際に、既知のＲＥＶＥＲＢ信号から算出されるＸ（ω）並びに実際に回線を介して受信したＲＥＶＥＲＢ信号から算出されるＹ（ω）を用いている。しかし、インパルス応答（Ｉｍｐｌｕｓｅ（ｔ））の算出にあたってはこのＲＥＶＥＲＢ信号に限定されるものではない。すなわち、交換局装置（ＡＴＵ−Ｃ）と家庭内に設置された端末装置（ＡＴＵ−Ｒ）との間で共に認識している信号であればいかなる信号を用いてもよい。
【００５９】
また、以上の説明においては、ＡＤＳＬモデム装置を例に説明しているが、他のタイプのＤＳＬに適用されるｘＤＳＬモデムにも同様に適用することが可能である。
【産業上の利用可能性】
【００６０】
本発明に係るＡＤＳＬモデム装置及び同期確立方法によれば、中波放送の電波の影響によりシンボル同期を確立することができないことによる異常終了の発生を防止することができ、より利用性に優れたＡＤＳＬサービスを提供できる点で有用である。
【図面の簡単な説明】
【００６１】
【図１】本発明の一実施の形態に係るＡＤＳＬモデム装置が適用される家庭内などに設置された端末装置側の通信システムの概略構成を示す図
【図２】上記通信システムのトランシーバの機能ブロック図
【図３】上記トランシーバのプロセッサによるイニシャライズ手順の実行時におけるシンボル同期の方法を説明するための機能ブロック図
【図４】上記トランシーバのプロセッサで計算されるインパルス応答の波形図
【図５】本実施の形態に係るＡＤＳＬモデム装置においてシンボル同期を確立する際の動作について説明するためのフロー図
【符号の説明】
【００６２】
１  スプリッタ
２  ＡＤＳＬモデム装置
３  ユーザ端末
４  電話機
１１  トランシーバ
１２  ホスト
１３  ＡＦＥ
１４  アナログフィルタ
１５  ドライバ
１６  ハイブリッド
１７  レシーバ
１８  アナログフィルタ
２０  プロセッサ
２１  リードソロモン符号化部
２２  インターリーブ部
２３  トレリス符号化部
２４  トーンオーダリング部
２５  コンステレーション符号化部
２６  ＩＦＦＴ部
２７  ＦＦＴ部
２８  コンステレーション復号化／ＦＥＱ部
２９  トーンデオーダリング部
３０  ビタビ復号化部
３１  デインターリーブ部
３２  リードソロモン復号化部
３３  ＲＡＭ
４０  バッファ
【図１】
2006014006.tif 000003
【図２】
2006014006.tif 000004
【図３】
2006014006.tif 000005
【図４】
2006014006.tif 000006
【図５】
2006014006.tif 000007